(57)【要約】【課題】車両用窓ガラスの車室内側面の曇り除去性能を向上させる。【解決手段】デフロスタ装置１０では、熱線発生装置１６よりフロントガラス１８に向けて熱線２６が照射されると、この熱線２６がフロントガラス１８の熱線吸収層２０により吸収される。また、熱線２６の一部が熱線吸収層２０を透過しても、この透過した熱線２６Ａが熱線反射層２２により熱線吸収層２０側へ反射されて最終的に熱線吸収層２０で吸収される。そして、熱線吸収層２０が熱線２６を吸収することで車室内側面１８Ａが加熱される。従って、車室内側面１８Ａの加熱効率が向上されるので、これにより、フロントガラス１８の車室内側面１８Ａの曇り除去性能を向上させることが可能となる。【選択図】図１
2008006898.tif 000002
【特許請求の範囲】
【請求項１】
ガラス体と、
熱線を吸収して車室内側面を加熱する熱線吸収層と、
前記熱線吸収層よりも車室外側に設けられ熱線を反射可能な熱線反射層と、
を備えて構成されたことを特徴とする車両用窓ガラス。
【請求項２】
ガラス体と、熱線を吸収して車室内側面を加熱する熱線吸収層と、を備えて構成された車両用窓ガラスと、
前記熱線吸収層に熱線を照射可能な熱線発生手段と、
を備えたことを特徴とする車両用デフロスタ装置。
【請求項３】
前記車両用窓ガラスは、前記熱線吸収層よりも車室外側に設けられ熱線を反射可能な熱線反射層を備えて構成されたことを特徴とする請求項２に記載の車両用デフロスタ装置。
【発明の詳細な説明】
【技術分野】
【０００１】
本発明は、車両用窓ガラス及び車両用デフロスタ装置に係り、特に、車両用窓ガラスの車室内側面の曇りを除去させる構成を備えた車両用窓ガラス及び車両用デフロスタ装置に関する。
【背景技術】
【０００２】
従来、車両用デフロスタ装置としては、次のものが知られている（例えば、特許文献１参照）。この特許文献１に記載の例では、窓ガラスの車室内側面に赤外線を照射することにより、赤外線の輻射熱で車室内側面上の曇りを除去するようにしている。
【特許文献１】特開２００５−７９６３号公報
【発明の開示】
【発明が解決しようとする課題】
【０００３】
しかしながら、車両用窓ガラスの車室内側面の曇り除去性能を向上させるためには改善の余地がある。
【０００４】
本発明は、上記事情に鑑みてなされたものであって、その目的は、車室内側面の曇り除去性能を向上させることが可能な車両用窓ガラス、及び、車両用窓ガラスの車室内側面の曇り除去性能を向上させることが可能な車両用デフロスタ装置を提供することにある。
【課題を解決するための手段】
【０００５】
前記課題を解決するために、請求項１に記載の車両用窓ガラスは、ガラス体と、熱線を吸収して車室内側面を加熱する熱線吸収層と、前記熱線吸収層よりも車室外側に設けられ熱線を反射可能な熱線反射層と、を備えて構成されたことを特徴とする。
【０００６】
なお、熱線吸収層により加熱される車室内側面とは、車両用窓ガラスの車室内側面のことであり、例えば、熱線吸収層が車両用窓ガラスの最も車室内側に設けられた場合には、この熱線吸収層の車室内側面が車両用窓ガラスの車室内側面となり、ガラス体が車両用窓ガラスの最も車室内側に設けられた場合には、このガラス体の車室内側面が車両用窓ガラスの車室内側面となる。
【０００７】
請求項１に記載の車両用窓ガラスでは、例えば車両内側から熱線が照射されると、この熱線が熱線吸収層により吸収される。また、熱線が照射された際に、この熱線の一部がの熱線吸収層を透過しても、この透過した熱線が熱線反射層により熱線吸収層側へ反射される。従って、熱線吸収層を透過した熱線も最終的に熱線吸収層で吸収される。
【０００８】
そして、上述の如く熱線吸収層が熱線を吸収することで車室内側面が加熱される。従って、例えば冬場等の車外の気温が低いときに、車室内側面に結露が生じても、この車室内側面が加熱されることで、車室内側面に生じた結露を蒸発させて車室内側面の曇りを解消できる。
【０００９】
このように、請求項１に記載の車両用窓ガラスによれば、熱線吸収層を設けることで、車室内側から車室外側への輻射による熱移動が低減され、車室内側面の加熱効率が向上される。これにより、車室内側面の曇り除去性能を向上させることが可能となる。
【００１０】
特に、請求項１に記載の車両用窓ガラスによれば、熱線吸収層を透過した熱線も熱線反射層で反射されて熱線吸収層に吸収されるので、熱線吸収層における熱線吸収率が向上される。これにより、車室内側面の加熱効率がさらに向上され、車室内側面の曇り除去性能をより向上させることが可能となる。
【００１１】
なお、請求項１に記載の車両用窓ガラスでは、例えば、車室外側から太陽光が照射されても、この太陽光の熱線が熱線吸収層に到達される前に熱線反射層により反射される。従って、例えば夏場等においては、輻射による車室内側面の表面温度上昇を抑制できる。
【００１２】
また、前記課題を解決するために、請求項２に記載の車両用デフロスタ装置は、ガラス体と、熱線を吸収して車室内側面を加熱する熱線吸収層と、を備えて構成された車両用窓ガラスと、前記熱線吸収層に熱線を照射可能な熱線発生手段と、を備えたことを特徴とする。
【００１３】
請求項２に記載のデフロスタ装置では、熱線発生手段により熱線が車両用窓ガラスの熱線吸収層に照射されると、この熱線が車両用窓ガラスの熱線吸収層により吸収される。
【００１４】
そして、車両用窓ガラスにおいては、熱線吸収層が熱線を吸収することで車室内側面が加熱される。従って、例えば冬場等の車外の気温が低いときに、車両用窓ガラスの車室内側面に結露が生じても、この車室内側面が加熱されることで、車室内側面に生じた結露を蒸発させて車室内側面の曇りを解消できる。
【００１５】
このように、請求項２に記載のデフロスタ装置によれば、車両用窓ガラスに熱線吸収層を設けることで、車両用窓ガラスにおいては車室内側から車室外側への輻射による熱移動が低減され、車室内側面の加熱効率が向上される。これにより、車両用窓ガラスの車室内側面の曇り除去性能を向上させることが可能となる。
【００１６】
請求項３に記載の車両用デフロスタ装置は、請求項２に記載の車両用デフロスタ装置において、前記車両用窓ガラスは、前記熱線吸収層よりも車室外側に設けられ熱線を反射可能な熱線反射層を備えて構成されたことを特徴とする。
【００１７】
請求項３に記載の車両用デフロスタ装置では、車室内側から車両用窓ガラスに熱線が照射された際に、この熱線の一部が車両用窓ガラスの熱線吸収層を透過しても、車両用窓ガラスにおいては、この透過した熱線が、熱線吸収層よりも車室外側に設けられた熱線反射層により熱線吸収層側へ反射される。従って、車両用窓ガラスにおいては、熱線吸収層を透過した熱線も最終的に熱線吸収層で吸収される。これにより、熱線吸収層における熱線吸収率が向上されるので、車両用窓ガラスの車室内側面の加熱効率がさらに向上され、車室内側面の曇り除去性能をより向上させることが可能となる。
【００１８】
なお、請求項３に記載の車両用デフロスタ装置では、例えば、車室外側から車両用窓ガラスに太陽光が照射されても、車両用窓ガラスにおいては、この太陽光の熱線が熱線吸収層に到達される前に熱線反射層により反射される。従って、例えば夏場等においては、輻射による車両用窓ガラスの車室内側面の表面温度上昇を抑制できる。
【発明の効果】
【００１９】
以上詳述したように、本発明の車両用窓ガラスによれば、車室内側面の加熱効率を向上させることができるので、車室内側面の曇り除去性能を向上させることが可能である。
【００２０】
また、本発明の車両用デフロスタ装置によれば、車両用窓ガラスの車室内側面の加熱効率を向上させることができるので、車両用窓ガラスの車室内側面の曇り除去性能を向上させることが可能である。
【発明を実施するための最良の形態】
【００２１】
以下、図１，図２を参照しながら、本発明の一実施形態について説明する。
【００２２】
図１は、本発明の一実施形態に係るデフロスタ装置１０が適用された車両１２の側面断面図、図２，図３は、本発明の一実施形態に係るフロントガラス１８の断面図である。なお、図１において、矢印Ｆｒは、車両前後方向前側、矢印Ｕｐは、車両上下方向上側をそれぞれ示している。
【００２３】
図１に示されるように、本発明の一実施形態に係るデフロスタ装置１０が適用された車両１２では、車室内の天井部１４に熱線発生装置１６が設けられている。この熱線発生装置１６は、例えば、ハロゲンヒータで構成されており、車室内側から後述するフロントガラス１８に向けて熱線（赤外線）を照射可能に構成されている。なお、熱線発生装置１６としては、ハロゲンヒータの他に、電熱線コイル等が用いられていても良い。
【００２４】
また、この車両１２では、車室前方にフロントガラス１８が設けられている。このフロントガラス１８は、図２，図３に示されるように、熱線吸収層２０、熱線反射層２２、中間層２４の三層構造とされている。
【００２５】
熱線吸収層２０は、熱線（赤外線）を吸収可能で、特に本実施形態では熱線の吸収率の高い材料で構成されている。この熱線吸収層２０は、熱線吸収率の高いコーティング材を車室内側から中間層２４にコーティングしたり、熱線吸収率の高いフィルム材を車室内側から中間層２４に貼り付けたりすることで中間層２４よりも車室内側に形成されている。
【００２６】
熱線反射層２２は、熱線（赤外線）を反射可能で、特に本実施形態では熱線の反射率の高い材料で構成されている。この熱線反射層２２は、熱線反射率の高いコーティング材を車室外側から中間層２４にコーティングしたり、熱線反射率の高いフィルム材を車室外側から中間層２４に貼り付けたりすることで中間層２４よりも車室外側に形成されている。なお、中間層２４は、透明度の高いガラス体で構成されている。
【００２７】
次に、本発明の一実施形態の作用について説明する。
【００２８】
図１に示されるように、本発明の一実施形態に係るデフロスタ装置１０が適用された車両１２では、熱線発生装置１６よりフロントガラス１８に向けて熱線２６が照射されると、この熱線２６がフロントガラス１８の熱線吸収層２０により吸収される。
【００２９】
また、本発明の一実施形態に係るデフロスタ装置１０では、車室内側からフロントガラス１８に熱線２６が照射された際に、図２に示される如く、この熱線２６の一部がフロントガラス１８の熱線吸収層２０を透過しても、フロントガラス１８においては、この透過した熱線２６Ａが熱線反射層２２により熱線吸収層２０側へ反射される。従って、フロントガラス１８においては、熱線吸収層２０を透過した熱線２６Ａも最終的に熱線吸収層２０で吸収される。
【００３０】
そして、このフロントガラス１８においては、上述の如く熱線吸収層２０が熱線２６を吸収することで車室内側面１８Ａが加熱される。従って、例えば冬場等の車外の気温が低いときに、フロントガラス１８の車室内側面１８Ａに結露が生じても、この車室内側面１８Ａが加熱されることで、車室内側面１８Ａに生じた結露を蒸発させて車室内側面１８Ａの曇りを解消できる。
【００３１】
このように、本発明の一実施形態に係るデフロスタ装置１０によれば、フロントガラス１８に熱線吸収層２０を設けることで、フロントガラス１８においては車室内側から車室外側への輻射による熱移動が低減され、車室内側面１８Ａの加熱効率が向上される。これにより、フロントガラス１８の車室内側面１８Ａの曇り除去性能を向上させることが可能となる。
【００３２】
特に、本発明の一実施形態に係るデフロスタ装置１０によれば、熱線吸収層２０を透過した熱線２６Ａも熱線反射層２２で反射されて熱線吸収層２０に吸収されるので、熱線吸収層２０における熱線吸収率が向上される。これにより、フロントガラス１８の車室内側面１８Ａの加熱効率がさらに向上され、車室内側面１８Ａの曇り除去性能をより向上させることが可能となる。
【００３３】
なお、本発明の一実施形態に係るデフロスタ装置１０では、例えば、図３に示される如く、車室外側からフロントガラス１８に太陽光２８が照射されても、フロントガラス１８においては、この太陽光２８の熱線が熱線吸収層２０に到達される前に熱線反射層２２により反射される。従って、例えば夏場等においては、輻射によるフロントガラス１８の車室内側面１８Ａの表面温度上昇を抑制できる。
【００３４】
また、本発明の一実施形態に係るデフロスタ装置１０は、エンジンの排熱を利用しないので、例えば、エンジンと電気モータとを組み合わせたハイブリッド車や電気モータで走行する電気自動車等に好適に用いることができる。
【００３５】
また、本発明の一実施形態に係るデフロスタ装置１０によれば、エンジンの排熱を利用しないので、例えば、エンジンを搭載した車両においてエンジン停止中でもフロントガラス１８の曇りを除去できる。
【００３６】
また、本発明の一実施形態に係るデフロスタ装置１０は、温風によって車室内側面の曇りを除去する従来の構成の如く作動時に流体音を生じないので、静粛性が要求される車両に好適に用いることができる。
【００３７】
次に、本発明の一実施形態の変形例について説明する。
【００３８】
上記実施形態では、本発明の車両用窓ガラスをフロントガラス１８に適用し、このフロントガラス１８に熱線発生装置１６から熱線２６を照射するように構成されていたが、その他にも、本発明の車両用窓ガラスをサイドガラスやリアガラスに適用し、これらのガラスに熱線発生装置１６から熱線２６を照射するように構成されていても良いことは勿論である。
【００３９】
また、上記実施形態では、フロントガラス１８の中間層２４にガラス体が設けられ、この中間層２４の車室内側に熱線吸収層２０が設けられていたが、フロントガラス１８の車室内側にガラス体が設けられ、このガラス体の車室外側に熱線吸収層２０が設けられていても良い。このようにしても、フロントガラス１８の車室内側面１８Ａの曇り除去性能を向上させることができる。
【図面の簡単な説明】
【００４０】
【図１】本発明の一実施形態に係るデフロスタ装置が適用された車両の側面断面図である。
【図２】本発明の一実施形態に係るフロントガラスの断面図である。
【図３】本発明の一実施形態に係るフロントガラスの断面図である。
【符号の説明】
【００４１】
１０  デフロスタ装置
１６  熱線発生装置（熱線発生手段）
１８  フロントガラス（車両用窓ガラス）
１８Ａ  車室内側面
２０  熱線吸収層
２２  熱線反射層
２４  中間層（ガラス体）
【図１】
2008006898.tif 000003
【図２】
2008006898.tif 000004
【図３】
2008006898.tif 000005